(57)【要約】【課題】金属製ドア自体に穴等の設置工事等を施さなくても、金属製ドアへの強固な取付を可能とする錠取付装置を提供することを課題とする。【解決手段】金属製ドアの外側から非接触的な遠隔操作で動作されドア枠に係止されてロック状態を呈する補助錠２を支持して金属製ドアの内側面に固定される取付補助部材３を備えている。取付補助部材３は、金属製ドアの内側面に既設されている錠の付属品１４の取付構造または取外後の取付跡構造を利用して固定される。【選択図】      図１
2005315067.tif 000002
【特許請求の範囲】
【請求項１】
金属製ドアに固設された錠とドア枠に設けられたロック受部とが備えられ、金属製ドアの内側面には金属製ドアの外側から非接触的な遠隔操作で動作してドア枠に係止される補助錠が設けられてなる錠取付装置において、
補助錠には金属製ドアの内側面に既設されている錠の付属品に係止可能な取付補助部材が付設されていることを特徴とする錠取付装置。
【請求項２】
金属製ドアに固設された錠とドア枠に設けられたロック受部とが備えられ、金属製ドアの内側面には金属製ドアの外側から非接触的な遠隔操作で動作してドア枠に係止される補助錠が設けられてなる錠取付装置において、
補助錠には金属製ドアの内側面に既設されている錠の付属品取外し後の取付跡構造に螺合可能な取付補助部材が付設されていることを特徴とする錠取付装置。
【請求項３】
請求項１または２記載の錠取付装置において、ドア枠に補助錠のデットボルトを係止する補助ロック受具を設けたことを特徴とする錠取付装置。
【請求項４】
請求項１〜３いずれか記載の錠取付装置において、補助錠と取付補助部材との間には取付位置を調整する位置調整機構が備えられていることを特徴とする錠取付装置。
【請求項５】
請求項４記載の錠取付装置において、位置調整機構は二次元方向ないし三次元方向へのねじ送り機構ないしスライド機構の１つまたは組合せにより構成されることを特徴とする錠取付装置。
【請求項６】
請求項１〜５いずれか記載の錠取付装置において、この錠取付装置が複数の部材から形成され、かつ、その内の１の部材であって、最も補助錠側の部材が他の部材を覆う大きさに形成されていることを特徴とする錠取付装置。
【請求項７】
請求項１〜６のいずれか記載の錠取付装置において、取付補助部材は錠の付属品に係止して取付けされるかまたは付属品取外し後の取付跡構造に螺合して取付けされるかのいずれか一方あるいは兼用の構造を有する取付板を備え、取付板に設けられるスライド溝によって位置調整機構が構成されることを特徴とする錠取付部材。
【請求項８】
請求項７記載の錠取付構造において、錠の付属品がドアチェ−ンを係止するスライドロック溝板であって、取付板が止めねじを緩めたスライドロック溝板と金属製ドアとの隙間に差し込みされて固定されることを特徴とする錠取付部材。
【請求項９】
請求項７または８記載の錠取付構造において、錠の付属品がドア突起に係合するロックレバ−の固定板であって、取付板が止めねじを緩めたロックレバ−の固定板と金属製ドアとの隙間に差し込みされて固定されることを特徴とする錠取付部材。
【請求項１０】
請求項７または８記載の錠取付構造において、取付跡構造がドアチェ−ンを係止するスライドロック溝板の止めねじを取り外し後に金属製ドアに残る複数のねじ穴であって、取付板がねじ穴への止めねじの螺合により固定されることを特徴とする錠取付部材。
【請求項１１】
請求項７または８記載の錠取付構造において、取付跡構造がドア突起に係合するロックレバ−の固定板の止めねじを取り外し後に金属製ドアに残る複数のねじ穴であって、取付板がねじ穴への止めねじの螺合により固定されることを特徴とする錠取付部材。
【発明の詳細な説明】
【技術分野】
【０００１】
本発明は、ドア錠を複数取付けする錠取付装置に係わり、詳しくは、金属製ドアの外側から見えないように金属製ドアの内側面に補助錠を追加して設置するための技術分野に属する。
【背景技術】
【０００２】
最近は錠を不法に解錠する犯罪（ピッキング等）が多発しているが、その防御策としては１つの錠のみではなく、複数箇所に複数錠を設置することが推奨されている。複数錠を取付けする場合には複数の鍵穴が穿けられる。この複数錠の取付構造は、ドア本体に穴を開けて取付部を確保し、ボルト等を介してドア本体に固定して設置する構造が採られ、ドアと錠との強度を保持するためにドアに取付工事を行っている。そして、ドアの開閉を受容する枠体あるいは建造物の駆体（以下「ドア枠」という）には、錠から突出するロックを係止するロック受部が複数形成されることなる。この方法はドアに錠自体を増やすうえに、ドア枠にロック受部を形成するために、専門の鍵施工業者が取付工事を行わなければならなかった。
【０００３】
また、ドア本体に設置されている錠とは別にドアの外側からは視認されない錠をドアの内側面（室内側面）に追加して設置する方法も考え出されている。例えば、ドアの外側から非接触的な遠隔操作（ドアの内側からの手動操作も可能）で動作する電子ロック等の錠（以下「補助錠」という）も見られ始めている。ドアの内側面に補助錠を追加する設置方法としては、以下に記載のものが示されている。
【０００４】
【特許文献１】実用新案登録第３０９０１１８号公報
【０００５】
特許文献１には、ドアの内側面に支持板を設置し、この支持板に補助錠が取付けされる構造を示している。補助錠は、ドアの外側から電波による遠隔操作で動作され、ドア枠に係止されてロック状態を呈する。
【０００６】
特許文献１の錠取付装置では、支持板に予め粘着テープが取付けられているので、支持板はドアの内側面の任意の取付位置に粘着することが可能となる。すなわち、補助錠から突出するロックボルトがドア枠に係止可能な位置を選択すれば、後は押し付けて粘着するだけで取付け可能であって、専門の鍵施工業者でなくても取付け可能である利点がある。
【発明の開示】
【発明が解決しようとする課題】
【０００７】
しかしながら、特許文献１に係る従来の錠取付装置は、支持板の粘着のみによってドアの内側面に補助錠が取付けられているために、補助錠の固定が粘着強度自体に依存しており、使用に伴う粘着力の経年劣化等も懸念される。特に、無理にドアを開放しようとして強い力で操作すると、ドア開放時の回転トルク力によって脱落してしまう不安があり、信頼性に乏しいのではないかという課題を有している。
また、強力な接着剤を用いた場合は、脱落の不安が解消されるものの、依然として経年劣化等の不安が残っている。却って、錠取付装置を取り外す等の交換が困難となってしまうことが指摘されていた。
【０００８】
さらに、ドアの内側に補助錠を確実に固定するためには、ドアの表側から見えないようにドア本体の内側のみにねじ穴を穿けて取付部を確保し、ボルトやねじを介してドア本体の内側に固定する構造を採用することが予測される。
【０００９】
しかしながら、賃貸住宅や社宅、賃貸マンション等ではドアとして金属製のものが多用されているが、賃貸契約等の制限から金属製ドアに複数のねじ穴を穿ける等の施工工事を行えないケースが多い。仮に、施工工事を行えたとしても、貸主の許可が面倒であるうえに、退去時には取り外し工事が必要であった。加えて、新たに穿けた金属製ドアのねじ穴の埋め戻し工事も必要であるうえに、埋め戻し等の修理費も必要となるものであった。その結果、補助錠の導入自体が萎縮され兼ねない課題を有していた。
【００１０】
また、金属製のドア本体にねじ穴を開けて取付部を確保し、ボルトやねじの取付部材を介してドア本体に設置する構造は、金属製のドアに対しては電動ドリル等の専用工具が必要であって、電動ドリルは入居者が一般に保持していないものであるから、簡単に錠追加ができないものであった。さらに、設置能力の如何によっては取付強度が不安定となるとともに、高齢者にとっては施工自体が重労働であり、鍵施工業者等に依頼することになるとコストが嵩んでしまうという問題を有していた。
【００１１】
本発明は、このような課題を考慮してなされたもので、金属製のドア自体にねじ穴等の施工工事を施さなくても、ドアへの補助錠の強固な取付を可能とする錠取付装置を提供することを課題とする。
【課題を解決するための手段】
【００１２】
前述の課題を解決するため、本発明に係る錠取付装置は、特許請求の範囲の各請求項に記載の手段を採用する。
【００１３】
すなわち、請求項１では、金属製ドアに固設された錠とドア枠に設けられたロック受部とが備えられ、金属製ドアの内側面には金属製ドアの外側から非接触的な遠隔操作で動作してドア枠に係止される補助錠が設けられてなる錠取付装置において、補助錠には金属製ドアの内側面に既設されている錠の付属品に係止可能な取付補助部材が付設されていることを特徴とする。
【００１４】
この手段によると、金属製ドアの内側面に既設されている錠の付属品を利用することで、取付補助部材が錠の付属品に係止されて補助錠が付設される。利用可能な錠の付属品としては、ドアチェ−ンのボルトを受容するスライドロック溝板、ロックレバ−、ドアクロ−ザ等が挙げられる。
【００１５】
請求項２では、金属製ドアに固設された錠とドア枠に設けられたロック受部とが備えられ、金属製ドアの内側面には金属製ドアの外側から非接触的な遠隔操作で動作してドア枠に係止される補助錠が設けられてなる錠取付装置において、補助錠には金属製ドアの内側面に既設されている錠の付属品取外し後の取付跡構造に螺合可能な取付補助部材が付設されていることを特徴とする。
【００１６】
この手段によると、金属製ドアの内側面に既設されている錠の付属品を取り外した後に金属製ドアに残る取付跡構造を利用することができる。取付跡構造としては、金属製ドアに雌ねじ穴が残るが、雌ねじ穴に止めねじが螺合されることで取付補助部材が付設される。
【００１７】
請求項３では、請求項１または２記載の錠取付装置において、ドア枠に補助錠のデットボルトを係止する補助ロック受具を設けたことを特徴とする。
【００１８】
この手段によると、ドア枠の幅が想定した寸法より大きいような場合でも容易に錠取付装置の取付が可能になる。
【００１９】
請求項４では、請求項１〜３いずれか記載の錠取付装置において、補助錠と取付補助部材との間には取付位置を調整する位置調整機構が備えられていることを特徴とする。
【００２０】
この手段によると、補助錠は取付補助部材との間の位置調整機構によって錠の付属品又は取付跡構造への取付位置が調整され、ドア枠への係止具合が調整される。
【００２１】
請求項５では、請求項３記載の錠取付装置において、位置調整機構は二次元方向ないし三次元方向へのねじ送り機構ないしスライド機構の１つまたは組合せにより構成されることを特徴とする。
【００２２】
この手段によると、二次元方向または三次元方向での位置調整が可能となり、ドア枠への補助錠の係止具合が調整される。
【００２３】
請求項６では、請求項１〜５いずれか記載の錠取付装置において、この錠取付装置が複数の部材から形成され、かつ、その内の１の部材であって、最も補助錠側の部材が他の部材を覆う大きさに形成されていることを特徴とする。
【００２４】
この手段によると、錠取付装置を構成する複数の部材が覆われるため、外観がすっきりして美観が向上すると共に、ユーザが部材のコーナ等で擦り傷を受けたりすることが防止できる。
【００２５】
請求項７では、請求項１〜６のいずれか記載の錠取付装置において、取付補助部材は錠の付属品に係止して取付けされるかまたは付属品取外し後の取付跡構造に螺合して取付けされるかのいずれか一方あるいは兼用の構造を有する取付板を備え、取付板に設けられるスライド溝によって位置調整機構が構成されることを特徴とする。
【００２６】
この手段によると、取付板を介して錠の付属品に係止するか、あるいは付属品の取外し後の取付跡構造に螺合するかして取付けされ、取付板のスライド溝により取付位置が調整される。
【００２７】
請求項８では、請求項７記載の錠取付構造において、錠の付属品がドアチェ−ンを係止するスライドロック溝板であって、取付板が止めねじを緩めたスライドロック溝板と金属製ドアとの隙間に差し込みされて固定されることを特徴とする。
【００２８】
この手段によると、ドアの内側面に既設されている器具として、一般的に普及しているドアチェーンを係止するスライドロック溝板が選択される。スライドロック溝板の止めねじを緩め、スライドロック溝板と金属製ドアとの間に隙間を形成し、この隙間に取付板が差し込みされ、止めねじを締め付けすることで取付け固定される。
【００２９】
請求項９では、請求項７又は８記載の錠取付構造において、錠の付属品がドア突起に係合するロックレバ−の固定板であって、取付板が止めねじを緩めたロックレバ−の固定板と金属製ドアとの隙間に差し込みされて固定されることを特徴とする。
【００３０】
この手段によると、ドアの内側面に既設されている器具として、一般的に普及しているドア突起に係合するロックレバ−の固定板が選択される。ロックレバ−の固定板の止めねじを緩め、固定板と金属製ドアとの間に隙間を形成し、この隙間に取付板が差し込みされ、止めねじを締め付けすることで取付け固定される。
【００３１】
請求項１０では、請求項７または８記載の錠取付構造において、取付跡構造がドアチェ−ンを係止するスライドロック溝板の止めねじを取り外した後に金属製ドアに残る複数の雌ねじ穴であって、取付板がねじ穴への止めねじの螺合により固定されることを特徴とする。
【００３２】
この手段によると、ドアの内側面に既設されている器具として、一般的に普及しているドアチェーンを係止するスライドロック溝板が選択され、スライドロック溝板を取り外した後の取付跡構造が利用される。スライドロック溝板の取り外し後には、金属製ドアに複数の雌ねじ穴が残っているので、このねじ穴を利用して取付板が止めねじで螺合して固定される。
【００３３】
請求項１１では、請求項７または８記載の錠取付構造において、取付跡構造がドア突起に係合するロックレバ−の固定板の止めねじを取り外し後にドアに残る複数のねじ穴であって、取付板がねじ穴への止めねじの螺合により固定されることを特徴とする。
【００３４】
この手段によると、ドアの内側面に既設されている器具として、一般的に普及している
ドア突起に係合するロックレバ−の固定板が選択され、固定板を取り外した後の取付跡構造が利用される。固定板の取り外し後には、金属製ドアに複数のねじ穴が残っているので、このねじ穴を利用して取付板が止めねじで螺合して固定される。
【発明の効果】
【００３５】
本発明の請求項１〜２に係る錠取付装置によれば、金属製ドアに電動ドリル等でねじ穴を開けて取付部を確保する必要が無いため、専門的な工具や専門業者でなくとも容易且つ簡単に補助錠を追加して取付けすることができる。同様に、容易に錠を取外すことも可能となるうえに、従来の錠の付属品への復旧も容易にでき、金属製ドアの修復作業も不要にできた。
【００３６】
本発明の請求項１に係る錠取付装置は、金属製ドアの内側面に既設されている錠の付属品に取付補助部材を係止することで補助錠を容易に取付けすることができ、金属製ドア自体に格別な施工工事をせずに金属製ドアへの補助錠を強固に取付けすることができ、補助錠を取り外すだけで容易に復旧ができた。
【００３７】
また、本発明の請求項２に係る錠取付装置によれば、金属製ドアの内側面の錠の付属品を取り外した後に取付跡構造が残るが、その取付跡構造を利用して取付補助部材を止めねじで螺合することで補助錠を固定することができ、金属製ドア自体に格別な施工工事をせずに金属製ドアへの補助錠を強固に取付けすることができた。復旧に際しては、金属製ドアに残る雌ねじ穴に錠の付属品を再度ねじ止めできる。
【発明を実施するための最良の形態】
【００３８】
以下、本発明に係る錠取付装置を実施するための最良の形態の第１例を示す図１〜図５に基づいて説明する。
【００３９】
第１例では、金属製ドア１に固設された錠１１とドア枠１２に設けられたロック受部１３とが備えられ、金属製ドア１の内側面（室内側面）１０には金属製ドア１の外側から非接触的な遠隔操作で動作してドア枠１２に係止される補助錠２が設けられる。そして、上記補助錠２には金属製ドア１の内側面１０に既設されている錠の付属品１４に係止可能な取付補助部材３が付設され、取付補助部材３を介して補助錠２が内側面１０に固設されている。
【００４０】
既設の錠の付属品１４としては、金属製ドア１の内側面１０に既設されているスライドロック溝板１５が用いられる。上記スライドロック溝板１５は、金属製ドア１の内側面１０の自由端近傍に位置し、略々縦長のスライドロック溝１５０を有する長方形を呈して上下方向に沿って既設されている。上記スライドロック溝板１５は、上下両端の座面１５１，１５２にそれぞれ２個ずつの貫通孔１５３，１５４が穿設され、上下の貫通孔１５３，１５４に対応する金属製ドア１には雌ねじ穴１００，１０１が螺設されている。よって、スライドロック溝板１５は、止めねじ１５５，１５５，１５６，１５６により座面１５１，１５２の貫通孔１５３，１５３，１５４，１５４を通して雌ねじ穴１００，１００，１０１，１０１にねじ止め固設されている。
【００４１】
設置対象とされる補助錠２は、腐食に強いステンレス等の金属類または硬化プラスチック等から形成され、金属製ドア１の外側からの非接触的な遠隔操作で施錠、解錠される通信機構を内蔵した略々直方体の補助錠本体２０から構成され、本体２０にはデットボルト２１が側面から出没自在に配設されている。デットボルト２１には操作レバ−２２がスライド自在に設けられている。補助錠本体２０はその長手方向の両端に取付座２３，２４が張出され、取付座２３，２４には貫通孔２５，２６が穿設されている。
【００４２】
次に、取付補助部材３は、図２または図４に示すように、第１と第２の取付板３０Ａ，３０Ｂの組合せから構成することができ、取付板３０Ａ，３０Ｂの組合せにより補助錠２との間には取付位置を調整する位置調整機構４が構成されている。取付板３０Ａ，３０Ｂはステンレスや鉄等の強度のある金属製材料から成形され、第１例では組合せを複数対としたものを図示説明する。
【００４３】
取付板３０Ａ，３０Ｂは、全体として略々Ｌ字状を呈する座片３１，３１と縦片３２，３２とから構成される。座片３１は、補助錠本体２０を幅方向から着座して取付けできる寸法形状を有し、縦片３２の近傍から離間する一端部までのスロット３３が水平状態で複数並設され、位置調整機構４の水平調整部分が構成されている。座片３１は一端部から差込み可能な肉厚ｗ１に形成され、スロット３３は一端部から差込みして係止可能なように一端部が開口され、止めねじ類がスライド可能な幅ｗ２に形成されている。図面ではスロット３３が３本配置されている。また、縦片３２，３２はスライドロック溝板１５の厚みに被せられる程度の幅ｗ３を備え、相互に設けられる長穴３４と複数の雌ねじ穴３５・・とが重ね合わされ、平面視コ字状を呈して位置調整機構４の上下調整部分が構成されている。さらに、縦片３２，３２の重ね合わせは長穴３４から雌ねじ穴３５，３５を選択して止めねじ３６，３６をねじ止めして行われる。
【００４４】
さらに、取付板３０Ｂは、補助錠本体２０への取付ねじ３７，３７を備え、取付ねじ３７，３７をスロット３３から補助錠本体２０の貫通孔２５，２６へと挿通してナット３８，３８を締めつけすることで、取付補助部材３と補助錠２とが固設される。
【００４５】
次に、補助錠２の取付けを説明する。
金属製ドア１の内側面１０にあるスライドロック溝板１５の止めねじ１５５，１５６のねじをドライバ−等の工具で緩める。止めねじ１５５，１５６が４個の場合には全部緩める。図３に示すように、スライドロック溝板１５と金属製ドア１の内側面１０との間には、内側面１０に沿った隙間ｇが形成される。
【００４６】
図４に示すように、取付板３０Ａの座片３１をスライドロック溝板１５と内側面１０との隙間ｇにあてがい、いずれかのスロット３３を選択して止めねじ１５５に整列させてスロット開口から隙間ｇに水平方向へと差し込みする。座片３１はスロット４２が複数の止めねじ１５５，１５５にガイドされ、スライドロック溝板１５の座面１５１に差し込みされる。同様に、スライドロック溝板１５の下側の座面１５２と金属製ドア１の内側面１０との隙間ｇにも取付板３０Ａを座片３１から差し込みする。取付板３０Ａ，３０Ｂは、上下方向において、スライドロック溝板１５の止めねじ１５５，１５６にそれぞれ仮止めされる。
【００４７】
また、補助錠本体２０の下面には、取付板３０Ｂが取付ねじ３７，３７をスロット３３から貫通孔２５，２５へと挿通してナット３８，３８をそれぞれ締め付けすることで、取付補助部材３の一部と補助錠２とが固設される。スロット３３は任意なものが選択される。補助錠本体２０の下方では、取付板３０Ｂが取付ねじ３７，３７をスロット３３から貫通孔２６，２６へと挿通してナット３８，３８を締め付けして固設される。ドライバ−やペンチ類で作業される。
【００４８】
次に、補助錠本体２０の取付板３０Ｂ，３０Ｂをスライドロック溝板１５の下面の取付板３０Ａ，３０Ａに当接して左右方向と上下方向の位置合わせをする。取付板３０Ａ，３０Ａの位置合わせをした後に、止めねじ１５５，１５５，１５６，１５６を金属製ドア１の雌ねじ穴１００，１０１に締め付けし、取付板３０Ａ，３０Ａをスライドロック溝板１５を介して金属製ドア１に位置決めして固設する。ドライバ−で作業される。
【００４９】
補助錠本体２０に固設されている取付板３０Ｂ，３０Ｂを取付板３０Ａ，３０Ａにあてがい、相互の縦片３２，３２を重ね合わせ、長穴３４，３４から予め選択した雌ねじ穴３５，３５，３５，３５に止めねじ３６，３６，３６，３６を締め付けすることで取付補助部材３を介して補助錠本体１０が金属製ドア１の内側面１０にねじ止めして固設されることとなる。上下位置は、止めねじ３６，３６，３６，３６を緩めて、取付板３０Ｂ，３０Ｂを上下方向に移動させると、止めねじ３６，３６，３６，３６が長穴３４，３４をスライドするので、再度締め付けして調整される。ドライバ−で作業される。
【００５０】
取付補助部材３は、取付板３０Ａ，３０Ａと取付板３０Ｂ，３０Ｂの間にスライドロック溝板１５を挟み込みして金属製ドア１の内側面１０にねじ止め固設されている。取付け位置は、スライドロック溝板１５の位置を基準として左右方向と上下方向とに調整可能であるので、金属製ドア１の外側からの非接触的な遠隔操作でデットボルト２１がロックないしロック解除可能となる。
【００５１】
第１例において、取付板３０Ａの長穴３４と取付板３０Ｂの雌ねじ穴３５とを置換することができる。この場合には、雌ねじ穴を貫通孔として止めねじにはナットを設けて締め付けすることができる。
また、水平方向をスライド調整として上下方向を穴選択調整としたが、相互の置換を妨げないものである。
【００５２】
第１例によれば、Ｌ字状の取付板３０Ａ，３０Ｂと止めねじ３６および取付ねじ３７の組合せによる最小限単位で取付補助部材３を構成することができ、簡易に利用可能にできた。また、既設のスライドロック溝板１５の止めねじ１５５，１５６を利用するという着想にもとづいて、取付板３０Ａを差し込みして固設することができ、ドライバ−等の工具のみで簡単に取付作業をすることが可能となった。さらに、金属製ドア１の自由端側で縦片３２，３２がねじ結合されているので、ドア開放操作力が働いたときにであっても補助錠２のデットボルト２１に強力な係止力を作用させることができた。
【００５３】
次に、本発明に係る錠取付装置を実施するための最良の形態の第２例を示す図６〜図９に基づいて説明する。水平状態で既設されているスライドロック溝板１５の利用を前提とする。同一構成は同符号を用いて説明を省略する。
【００５４】
取付補助部材３は、第１と第２の取付板３０Ａ，３０Ｂに、補助スペーサ３００と必要に応じて備えられる取付補強板３０５とから組合せることができる。
補助スペーサ３００は、Ｌ字状のアングル材状を呈し、上片３０１には雌ねじ穴３０３が複数設けられ、下片３０２には長穴３０４が開口されている。取付補強板３０５は、補助錠本体２０が縦長の場合に対応するためのもので、縦長外形を呈し、縦長穴３０６が形成されている。図示しないが、取付補強板３０５は一枚板形状としても良い。
【００５５】
次に、第２例における補助錠２の取付けを説明する。
金属製ドア１の内側面１０にある水平状態のスライドロック溝板１５の止めねじ１５５，１５６のねじを緩め、スライドロック溝板１５と金属製ドア１の内側面１０との間の隙間ｇを形成する。図６に示すように、第１の取付板３０Ａの座片３１を下方に向けて隙間ｇにあてがい、スロット３３を差し込みして止めねじ１５５に仮止めする。スロット３３は、金属製ドア１の小口面との距離を考慮して端部側が選択される。上下位置調整は、第１の取付板３０Ａの差し込み具合で選択できる。
【００５６】
図７に示すように、補助スペーサ３００の上片３０１を取付板３０Ａの縦片３２に下面から重ね合わせ、長穴３４から雌ねじ穴３０３，３０３へと止めねじ３６，３６により左右位置合わせた後に締め付け固定する。補助スペーサ３００は、望ましくは金属製ドア１の小口面側へと延長した状態で固定される。止めねじ１５５，１５６は金属製ドア１の雌ねじ穴１００、１０１に締め付け固定しておくことができる。次いで、図８に示すように、補助スペーサ３００の下片３０２に第２の取付板３０Ｂの座片３１を重ね合わせ、長穴３０４にスロット３３を位置合わせてねじ３０７とナット３０８により締め付けして固定する。スロット３３が３本のときには中央にあるものが選択される。
【００５７】
さらに、図９に示すように、第２の取付板３０Ｂに対して取付補強板３０５，３０５を上下方向に配列して重ね合わせ、縦長穴３０６，３０６とスロット３３，３３との連通部分に止めねじ３０９を挿通し、ナット３１０とでねじ止めして連結する。
【００５８】
さらにまた、図６に示すように、補助錠本体２０の取付座２３，２４を取付補強板３０５，３０５に重ね合わせ、取付ねじ３７を貫通孔２５，２６から縦長穴３０６，３０６へと挿通してナット３８，３８により締め付けして固定する。なお、図６には、前後位置調整の必要に応じて、取付ねじ３７にダブルナット３１１，３１２，３１３を螺合する構造を示している。
【００５９】
取付補助部材３は、第１の取付板３０Ａ，補助スペーサ３００，第２の取付板３０Ｂ，取付補強板３０５，３０５とねじ類との組合せから構成され、水平状態に既設されているスライドロック溝板１５を利用してねじ止め固定される。取付け位置は、スライドロック溝板１５の位置を基準として左右方向と上下方向、必要に応じて前後方向とに調整可能であるので、金属製ドア１の外側からの非接触的な遠隔操作でデットボルト２１がドア枠１２にロックないしロック解除可能となる。
【００６０】
第２例において、補助錠本体２０が小型のときには、取付補強板３０５，３０５を省略して第２の取付板３０Ｂのスロット３３，３３に直接にねじ止め固定する構造を採用することを妨げない。
【００６１】
第２例によれば、水平状態のスライドロック溝板１５に対してもＬ字状の取付板３０Ａ，３０Ｂを共通部材として利用することができ、最小限単位で取付補助部材３を構成することができ、ドライバ−等の工具で簡易に利用することができる。また、ねじ止め操作を一方向から順次作業することができ、作業性を阻害することがない。
【００６２】
さらに、本発明に係る錠取付装置を実施するための最良の形態の第３例を示す図１０に基づいて説明する。水平状態で既設されているスライドロック溝板１５（第２例と同様）に対して、異なる第３の取付板３０Ｃを付加した利用を前提とする。
【００６３】
取付補助部材３は、第１の取付板３０Ａのほかに第３の取付板３０Ｃとから組合せることができる。
第３の取付板３０Ｃは、座片３２０の上下両端側を折曲した一対の縦片３２１，３２２とから成る側面視コ字状を呈し、座片３２０には水平方向へのスロット３２３が複数形成されている。スロット３２３は一端が開口されている。縦片３２１，３２２には雌ねじ穴３２４，３２５が複数設けられている。
【００６４】
次に、第３例における補助錠２の取付けを説明する。
水平状態のスライドロック溝板１５と金属製ドア１の内側面１０との間の隙間ｇに、第１の取付板３０Ａの座片３１を下方に向けてあてがい、スロット３３に差し込みして止めねじ１５６に仮止めする。
【００６５】
図１０に示すように、第３の取付板３０Ｃの上方にある縦片３２１を第１の取付板３０Ａの縦片３１の下面に重ね合わせ、長穴３４から雌ねじ穴３２４，３２４へと止めねじ３６，３６により左右位置合わせた後に締め付け固定する。この状態で、第３の取付板３０Ｃは、上下の縦片３２１，３２２の２点でスライドロック溝板１５を跨いでいる。
【００６６】
第３の取付３３０Ｃのスロット３２３，３２３には、第２例の図６に示す補助錠本体２０が取付補強板３０５，３０５を介して取付ねじ３７とナット３８とでねじ止め固定される。補助錠本体２０が小型の場合には、スロット３２３，３２３に直かにねじ止め固定される。
【００６７】
第３例によれば、水平状態のスライドロック溝板１５に対しても第１の取付板３０Ａと第３の取付板３０Ｃとを組合せて実施することができ、最小限単位で取付補助部材３を構成することができる。この場合には、第２例の取付補強板３０５，３０５との組合せにより、第２例の補助スペーサ３００と第２の取付板３０Ｂとを省略可能となる。なお、図示しないが、縦片３２２には雌ねじ穴３２５に代えて長穴を設ける構造としてもよい。
【００６８】
さらに、本発明に係る錠取付装置を実施するための最良の形態の第４例を示す図１１から図１２に基づいて説明する。既設の錠の付属品としてロックレバ−１７の利用を前提とする。
【００６９】
ロックレバ−１７は、上下方向に延びる方形の座金１７０を有し、座金１７０が貫通孔１７１を介して金属製ドア１の雌ねじ穴１００，１０１にねじ止め固定されている。
【００７０】
第４例における補助錠２の取付けを説明する。
ロックレバ−１７の止めねじ１７２を緩めて座金１７０と金属製ドア１の内側面１０との間に隙間ｇを形成し、第１の取付板３０Ａ，３０Ａの座片３１を水平方向からあてがい、スロット３３，３３に差し込みして止めねじ１７２，１７２に仮止めする。上方にある第１の取付板３０Ａは、下位にあるスロット３３を上方にある止めねじ１７２へ差し込みし、中央奥側の止めねじ１７２との間で位置狂いが阻止される。同様に、下方にある第１の取付板３０Ａは、上位にあるスロット３３を下方にある止めねじ１７２へ差し込みし、中央奥側の止めねじ１７２との間で位置狂いが阻止される。左右位置調整後に止めねじ１７２を締め付けして固定される。
【００７１】
次いで、第１例で既述したように、補助錠本体２０に固定した第２の取付板３０Ｂ，３０Ｂを第１の取付板３０Ａ，３０Ａに取付け固定する。図１３に示すように、ロックレバ−１７は第１と第２の取付板３０Ａ，３０Ｂの間に挟み込みされている。
【００７２】
第４例によれば、ロックレバ−１７に対しても第１と第２の取付板３０Ａ，３０Ｂとを組合せて応用することができる。
【００７３】
さらに、本発明に係る錠取付装置を実施するための最良の形態の第５例を示す図１３に基づいて説明する。既設の錠の付属品として上下方向に取付されたスライドロック溝板１５の利用を前提とする。
【００７４】
第４の取付板３０Ｄは、前後に離間する一対の座片３３０，３３１とこれらを一端で連結する縦片３３２とから成る平面視コ字状を呈する。内側面１０に差し込みされる座片３３０，３３１にはスロット３３３が複数設けられる。
【００７５】
第５例における補助錠２の取付けを説明する。
スライドロック溝板１５の止めねじ１５５，１５６を緩め、下位の座金１５２と金属製ドア１の内側面１０との間に隙間に、第４の取付板３０Ｄの座片３３０を水平方向からあてがい、スロット３３３に差し込みして止めねじ１５６に仮止めする。左右位置調整後に止めねじ１５５，１５６を締め付けするが、下位の止めねじ１５６はスロット３３４から締め付けして固定される。スライドロック溝板１５は一対の座片３３０，３３１との間に挟み込みされている。
【００７６】
次いで、第３例は、第２例で既述した補助錠本体２０に固定した取付補強板３０５，３０５の部分と結合することができる。取付補強板３０５，３０５には、広幅の頭部３３６，３３６を有するロック部材３３５，３３５を縦長穴３０６，３０６を通してナット等３３７，３３７で取付けしておく。そして、第４の取付板の座片３３１のスロット３３４にロック部材３３５を係入すると、頭部３３６が抜け止め状態となって取付け固定される。
【００７７】
第５例によれば、第４の取付板３０Ｄが第１と第２の取付板３０Ａ，３０Ｂを結合した構造となっているので、部品点数を更に少なくし、ねじ止め作業操作を最小限にすることができた。
また、第４の取付板３０Ｄは、第２例や第３例に示す水平状態に既設されたスライドロック溝板１５にもそのまま利用することが可能である。
【００７８】
さらにまた、本発明に係る錠取付装置を実施するための最良の形態の第６例を示す図１４から図１５に基づいて説明する。既設の錠の付属品として上下方向に取付されたスライドロック溝板１５を取外した後の取付跡構造１８の利用を前提とする。
【００７９】
錠の取付跡構造１８としては、上下方向に既設されたスライドロック溝板１５を取外した後の跡構造を図示する。すなわち、取付跡構造１８は、金属製ドア１の内側面１０の自由端近傍に残る複数の雌ねじ穴１００，１０１から構成され、止めねじ１５５，１５６は必要に応じてスライドロック溝板用のものが再利用される。
【００８０】
取付補助部材３は、一対の第５の取付板３０Ｅ，３０Ｅを互いに向き合わせて組合せることで構成される。第５の取付板３０Ｅは、平板状の座片３４０とその両端から折曲して立上られる一対の縦片３４１，３４２とから成る略々コ字状を呈する。座片３４０は、縦片側へ伸びるスロット３４３を複数備え、一方の縦片３４１には縦方向への長穴３４４が設けられ、他方の縦片３４２には雌ねじ穴３４５が複数設けられている。なお、３４６はワッシャである。
【００８１】
第６例における補助錠２の取付けを説明する。
取付跡構造１８の上位の雌ねじ穴１００，１００には第５の取付板３０Ｅの座片３４０をあてがい、スロット３４３から止めねじ１５５，１５５を再度利用して締め付けする。同様に、下位の雌ねじ穴１０１，１０１にスロット３４３から止めねじ１５５，１５５を締め付けして第５の取付板３０Ｅを仮止めする。
【００８２】
次に、第５の取付板３０Ｅを反転し、反転した縦片３４２を仮止めされた上位の第５の取付板３０Ｅの縦片３４１に、反転した縦片３４１を固定された第５の取付板３０Ｅの縦片３４２にそれぞれ重ね合わせ、上下位置を選択して止めねじ３６，３６を締め付けする。左右位置及び上下位置の調整後に止めねじ１５５と止めねじ３６を締め付けして固定する。同様に反転して第５の取付板３０Ｅを下位の第５の取付板３０Ｅに固定することで、取付補助部材３が左右両側から固定された状態で構成される。
【００８３】
取付けに際しては、第１例又は第４例に示すように、補助錠本体２０は取付ねじ３７とナット３８により取付補助部材３の座片３４０のスロット３４３を介してねじ止め固定される。
【００８４】
第６例によれば、取付補助部材３を一対の第５の取付板３０Ｅを反転した組付け構造とすることができ、左右方向の両側から強固に結合させることができ、反転組付けにより部品点数を更に少なくできた。
【００８５】
また、本発明に係る錠取付装置を実施するための最良の形態の第７例を説明する。これまで説明した各例においては、錠取付装置を構成する取付補強板３０５等の各部材は、外部から見える構成であり、外観を損なうことがあった。
【００８６】
そこで、本例７においては、かかる取付補強板３０５等の各部材が補助錠２により覆われる構成にすることにより外観を美しくすると共に、各部材のコーナ等によりユーザが傷を受けたりしないような構成としたものである。以下、図１３に示す構成を基本としてなる本例の実施例を説明する。
【００８７】
図１６は本例７の構成を示す取付手順を示す分解斜視図で、この錠取付装置はベース板３６０及び取付板３０Ｆを有している。
【００８８】
取付板３０Ｆは、前後に離間する一対の座片３５１，３５２及びこれらを一端で連結する縦片３５３とからなる平面視コ字状を呈して、スライドロック溝板１５に挟み込んで装着される。そして、座片３５１には複数のスロット３５４が設けられ、座片３５２には複数の長穴３５５が設けられると共に、この長穴３５５に沿って複数の雌ねじ３５６が形成されている。
【００８９】
一方、ベース板３６０は、少なくとも取付板３０Ｆを覆うような寸法に形成され、その４隅には取付ねじ３７を介して補助錠２に固定されるための貫通孔３６１が形成されると共に、座片３５２に形成されている雌ねじ３５６の列に対応した複数の長穴３６２が形成されている。この長穴３６２には止めねじ３６３が補助錠２側から挿通して、雌ねじ３５６の何れかに螺合することによりベース板３６０と取付板３０Ｆとを固定できるようになっている。
【００９０】
そして、スライドロック溝板１５の止めねじ１５５，１５６を緩め、下位の座金１５２と金属製ドア１の内側面１０との間に、スライドロック溝板１５が座片３５１と座片３５２の間に位置するように取付板３０Ｆを水平方向から挿入して止めねじ１５５，１５６締め付ける。これにより取付板３０Ｆはスライドロック溝板１５を介して金属製ドア１の内側面１０に取付られる。
【００９１】
次に、ベース板３６０を座片３５２に宛い、止めねじ３６３を雌ねじ３５６に螺合させる。このとき、ベース板３６０の位置が所望する高さ位置であり、かつ、取付板３０Ｆを覆うように位置決めして、止めねじ３６３と雌ねじ３５６との位置を決める。これにより、取付板３０Ｆにベース板３６０が取付られる。
【００９２】
最後に、ベース板３６０の４隅に設けられた貫通孔３６１に取付ねじ３７を挿通し、ベース板３６０の裏面側からナット３６５を螺合させて補助錠２をベース板３６０に固定する。
【００９３】
ベース板３６０は取付板３０Ｆを覆うように設けられているので、補助錠２側からはこの取付板３０Ｆが隠れ美観が向上すると共に、取付板３０Ｆの端部で引っ掻くような不都合が防止できるようになり安全性が向上する。
【００９４】
なお、上記説明では、スライドロック溝板１５が縦方向に取付られている場合について説明したが、図１７に示すように横方向に取付られている場合でも同様に取付ることが可能である。この場合、取付板３０Ｆも横付けのスライドロック溝板１５に応じて取付ればよい。
【００９５】
また、図１６等においては、取付ねじ３７はねじ棒であるが、本発明はこれに限定されるものではなく、図１７に示すように頭付きの止めねじ３６６としてもよい。そして、ナット２８，２９，３６５により補助錠２とベース板３６０との間隔を調整する。
【００９６】
さらに、上記説明では、取付板３０Ｆを取付る側の部材としてスライドロック溝板１５を想定したが、本発明はこれに限定されるものではなく、図１１に示したようなロックレバー１７であってもよい。ロックレバー１７の場合は、片方の端部が座金１７０により金属製ドア１に取付られて可動する構成であるため、スライドロック溝板１５のように取付板３０Ｆを押込む作用を発現させることができない。
【００９７】
そこで、このようなロックレバー１７の場合には、図１８に示すように雌ねじ３６９が形成された取付板支持片３６８を設け、この取付板支持片３６８をロックレバー１７と座片３５２との間に挿入する。そして、ねじ３７０を座片３５１の裏面側からスロット３５４を挿通して取付板支持片３６８の雌ねじ３６９に螺合させることにより、取付板支持片３６８と座片３５１とでロックレバー１７を挟持し、取付板３０Ｇとロックレバー１７とを固定するようにしてもよい。
【００９８】
なお、この例では取付板支持片３６８をロックレバー１７と座片３５２との間に挿入するが、他の例として図１９に示すように、ロックレバー１７と座片３５１との間に挿入する構成も可能である。
【００９９】
この場合の取付板支持片３７３は側面視がＬ字状をなす上面３７４と側面３７５とを備え、上面３７４に雌ねじ３７６が形成されている。
【０１００】
また、取付板３０Ｇの座片３５１には２の雌ねじ（図示せず）が形成され、この雌ねじに締付ねじ３７１が螺合するようになっていると共に、縦片３５３には長穴３７２が形成されて、この長穴３５３にねじ３７７が挿通するようになっている。
【０１０１】
そして、取付板支持片３７３の側面３７５をロックレバー１７と座片３５１との間に挿入する。このとき、取付板支持片３７３の上面３７４は縦片３５３側に位置し、かつ、この上面３７４の開放端が座片３５２側に位置するようにして挿入する。
【０１０２】
取付板支持片３７３の挿入後、ねじ３７７を雌ねじ３７６に螺合させて、取付板支持片３７３の脱落を防止しながら締付ねじ３７１を座片３５１に形成されている雌ねじに螺合させる。締付ねじ３７１の螺合量に応じて、この締付ねじ３７１の先端は取付板支持片３７３の側面３７５に当接して、ロックレバー１７を座片３５２側に押しつける。これにより座片３５２と取付板支持片３７３とでロックレバー１７が挟持されて固定される。
【０１０３】
次に、本発明に係る錠取付装置を実施するための最良の形態の第８例を説明する。ドア枠１２の幅は商品により一概に規定することができないため、これまでの説明では補助錠２と金属製ドア１の内側面１０との間の距離を調整するために、例えば図６等に明示するように、取付ねじ３７に螺合するナット３１３、３１１，３１２，３８により補助錠２の内側面１０からの距離が調整できるようにしていた。
【０１０４】
しかし、商品によっては予め想定したドア枠１２の幅より大きく、取付ねじ３７の長さが足りない場合が発生する。本例はこのような場合にも対応できるようにしたもので、図２０及び図２１に示すように、ドア枠１２に装着されるロック穴枠体３７８及びロック穴枠体取付板３７９からなる補助ロック受具３８０を設けている。また、ロック穴枠体取付板３７９は、止板３９８と抑板３８５とを備えている。
【０１０５】
ロック穴枠体３７８は有底の枠体で内部空間が補助錠２のデットボルト２１が挿入され、これを係止する空間をなしている。また底面３９６にはねじ３８９が挿通する貫通孔３９３が形成されている。
【０１０６】
一方、ロック穴枠体取付板３７９の止板３９８は、上面視概略コ字状で一方の側片３８４にねじ３９１が螺合する雌ねじ３９９が形成され、この雌ねじ３９９の先端は抑板３８５に当接するようになっている。
【０１０７】
なお、抑板３８５の下端部にはスリット４１５が形成されて、このスリット４１５がチェーン４０７の留具４０８とドア枠１２の側面３９４との間に挿入され、止めねじ４０９を締め付けることにより、抑板３８５の位置ズレや脱落を防止するようになっている。
【０１０８】
また、側片３８４には座金３９２及び正面片３８２が連接され、正面片３８２に支持片３８３が連接されている。座金３９２にはねじ３８７が挿通する長穴３８６が形成され、正面片３８２には複数の雌ねじ３９０が形成されている。
【０１０９】
このような補助ロック受具３８０をドア枠１２に取付る際には、ドア枠１２側の既設のねじを外し、長穴３８６がその跡の雌ねじ３８８の位置に合うようにロック穴枠体取付板３７９をドア枠１２に宛い挿入して、ねじ３８７を雌ねじ３８８に螺合させる。その後、ねじ３９１を回して止板３９８をドア枠１２の側面３９４に当接させる。この状態でねじ３９１の螺合量を増やすと、支持片３８３がドア枠１２の他方の側面３９５に当接し、支持片３８３と止板３９８とでドア枠１２を挟持する。
【０１１０】
このようにして取付られたロック穴枠体取付板３７９にロック穴枠体３７８をねじ３８９により固定する。このときの固定位置は補助錠２のデットボルト２１の位置に合わせることは言うまでもない。以上により、ドア枠１２の幅が広い場合でも取付可能になり、利用範囲が広まる。
【０１１１】
また、ドア枠１２の幅が広い場合でも補助錠２を取付可能する別の例として図２２に示すような取付板３０Ｈにより補助錠２を取付るようにしても良い。この取付板３０Ｈは、金属製ドア１に取付られるＬ字状のドア側アングル４００及び、補助錠２に取付られる補助錠側アングル４１０を備えている。
【０１１２】
ドア側アングル４００は、金属製ドア１の内側面１０に接するように取付られるドア側長腕片４０１、このドア側長腕片４０１に対して起立したドア側短腕片４０３とからなり、ドア側長腕片４０１及びドア側短腕片４０３には長穴４０２及び長穴４０４がそれぞれ形成されている。
【０１１３】
一方、補助錠側アングル４１０は補助錠２の取付座２３に接して取付られる補助錠側長腕片４１１、この補助錠側長腕片４１１に対して起立した補助錠側短腕片４１３とからなり、補助錠側長腕片４１１及び補助錠側短腕片４１３には長穴４１２及び長穴４４４がそれぞれ形成されている。
【０１１４】
ドア側アングル４００は、スライドロック溝板１５の上下の座面１５１，１５２と金属製ドア１の内側面との間に配置され、止めねじ１５５，１５６を締め付けることにより固定されるようになっている。
【０１１５】
また、補助錠側アングル４１０は、ねじ４２２の一端が長穴４１２を挿通して、図示しないナットと螺合することにより補助錠２に固定されるようになっている。そして、ドア側アングル４００と補助錠側アングル４１０とは、止めねじ４０５が長穴４０４及び長穴４１４を挿通してナット４０６と螺合することにより緊結されるようになっている。
【０１１６】
図２３は、このようにして金属製ドア１に取付板３０Ｈにより補助錠２を取り付けた際のドア頂部側から見た図で、ドア側短腕片４０３及び補助錠側短腕片４１３は、所定角度θ（θ＜９０度）に曲げられている。これは金属製ドア１を開閉した際に、これらドア側短腕片４０３及び補助錠側短腕片４１３がドア枠１２に当接しないようにするためである。
【０１１７】
なお、図２２においてはスライドロック溝板１５は垂直に設けられている場合であったが、図２４に示すように水平に設けられているような場合であっても良い。この場合には、ドア側アングル抑板４３０を設けて、ドア側アングル４００を固定するようにする。
【０１１８】
即ち、ドア側アングル抑板４３０は、底片４３１を有し、その上下端部がドア側アングル４００の厚に相当する量だけ折り曲げられて段差片４３３が形成されている。底片４３１及び段差片４３３には長穴４３２及び長穴４３４が形成されている。
【０１１９】
そして、止めねじ４３９をドア側長腕片４０１の長穴４０２に挿通してナット４４０に螺合させてドア側長腕片４０１とドア側アングル抑板４３０とを固定し、ドア側アングル抑板４３０の底片４３１をスライドロック溝板１５と金属製ドア１の内側面１０との間に挟み止めねじ１５５を長穴４３２を挿通して締めることによりドア側アングル抑板４３０が金属製ドア１に取付られる。
【０１２０】
次に、先に説明したようにドア側アングル４００と補助錠側アングル４１０とを、止めねじ４０５を長穴４０４及び長穴４１４を挿通してナット４０６と螺合することにより緊結されるようになっている。
【０１２１】
さらに、補助錠２の取付高さが調整できる他の実施例として図２５に示すような構成が例示できる。図２５に示す構成は図１６に対応した構成で、ベース板４５０及び補助錠取付座アングル４５５を備えている。
【０１２２】
ベース板４５０の上下端部には、高調整片４５１が直交して設けられると共に、この高調整片４５１には長穴４５２が形成されている。また、補助錠取付座アングル４５５の一方の側板４５７には貫通孔が形成されて、止めねじ４５９により補助錠２の取付座２３と固定され、他方の側板４５６には雌ねじ４５８が形成されている。
【０１２３】
そして、止めねじ４５３を高調整片４５１の長穴４５２に挿通して、補助錠取付座アングル４５５における側板４５６の雌ねじ４５８に螺合させることにより補助錠２がベース板４５０に取付られる。
【０１２４】
なお、金属製ドア１の開閉時に高調整片４５１がドア枠１２と当接しないように、高調整片４５１のドア枠１２側端部は所定角度θ（θ＜９０度）をなすように形成されている。
【０１２５】
上述した各例において、補助錠２を例示したが、これに限定する趣旨ではなく、各種補助錠を付設することを妨げない。また、各例は必要に応じて組み合わせて利用することができる。
【図面の簡単な説明】
【０１２６】
【図１】本発明に係る錠取付装置を実施するための最良の形態の第１例を示す  ロック状態の全体斜視図である。
【図２】図１に示す第１の取付板の分解斜視図である。
【図３】図１に示す金属製ドアの隙間へ第１の取付板の差込み状態を示す断面図である。
【図４】図１に示す第１の取付板への組付過程を示す分解斜視図である。
【図５】図１に示す第１の取付板を用いた取付補助部材の付設状態を示す斜視図である。
【図６】本発明に係る錠取付装置を実施するための最良の形態の第２例を示す  分解状態の斜視図である。
【図７】図６に示す第１の取付板に補助スペーサを組付けする過程を示す斜視図である。
【図８】図７に示す第１の取付板と補助スペーサに第２の取付板を組付けする過程を示す斜視図である。
【図９】図８に示す第１の取付板と補助スペーサと第２の取付板とに取付補強板を組付けする過程を示す斜視図である。
【図１０】本発明に係る錠取付装置を実施するための最良の形態の第３例を示す分解状態の斜視図である。
【図１１】本発明に係る錠取付装置を実施するための最良の形態の第４例を示す分解状態の斜視図である。
【図１２】図１１に示す第１の取付板に第２の取付板を組込みして補助錠を付設した斜視図である。
【図１３】本発明に係る錠取付装置を実施するための最良の形態の第５例を示す分解状態の斜視図である。
【図１４】本発明に係る錠取付装置を実施するための最良の形態の第６例を示す分解状態の斜視図である。
【図１５】図１４に示す第５の取付板の組込みして補助錠を付設した斜視図である。
【図１６】既設の錠の付属品としてスライドロック溝板が縦に取付られている場合の本発明に係る錠取付装置を実施するための最良の形態の第７例を示す分解状態の斜視図である。
【図１７】既設の錠の付属品としてスライドロック溝板が横に取付られている場合の本発明に係る錠取付装置を実施するための最良の形態の第７例を示す分解状態の斜視図である。
【図１８】既設の錠の付属品としてロックレバーの場合の本発明に係る錠取付装置を実施するための最良の形態の第７例を示す分解状態の斜視図である。
【図１９】図１８に代わる構成の錠取付装置の分解状態の斜視図である。
【図２０】本発明に係る錠取付装置を実施するための最良の形態の第８例を示す分解状態の斜視図である。
【図２１】図２０における要部の補助ロック受具の分解状態の斜視図である。
【図２２】既設の錠の付属品としてスライドロック溝板が縦に取付られている場合の図２１に代わる最良の形態の分解状態の斜視図である。
【図２３】図２２の作用を説明する図である。
【図２４】既設の錠の付属品としてスライドロック溝板が横に取付られている場合の図２１に代わる最良の形態の分解状態の斜視図である。
【図２５】補助錠の高さ調整機構を示す図２１に代わる分解状態の斜視図である。
【符号の説明】
【０１２７】
１                                        金属製ドア
２                                        補助錠
３                                        取付補助部材
４                                        位置調整機構
１０                                      金属製ドアの内側面
１００，１０１                            雌ねじ穴
１１                                      錠
１２                                      ドア枠
１４                                      錠の付属品
１５                                      スライドロック溝板
１５０                                    スライドロック溝
１５１，１５２                            座面
１５３，１５４                            貫通孔
１５５，１５６                            止めねじ
１７                                      ロックレバー
１７０                                    座金
１７１                                    貫通孔
１７２                                    止めねじ
１８                                      錠の取付跡構造
２０                                      補助錠の本体
２１                                      デットボルト
２２                                      操作レバ−
２３，２４                                取付座
２５，２６                                貫通孔
３０Ａ，３０Ｂ，３０Ｃ，３０Ｄ，３０Ｅ    第１〜第５の取付板
３１，３２０，３３０，３３１，３４０      座片
３２，３２１，３３２，３４１，３４２      縦片
３３，３２３，３３３，３３４，３４３      スロット
３４，３０４，３４４                      長穴
３５                                      雌ねじ穴
３６                                      止めねじ
３７                                      取付ねじ
３００                                    補助スペーサ
３０１                                    上片
３０２                                    下片
３０３，３２４，３２５，３４５            雌ねじ穴
３０５                                    取付補強板
３６０，４５０  ベース板
３７８  ロック穴枠体
３７９  ロック穴枠体取付板
３８０  補助ロック受具
３８５  抑板
４００  ドア側アングル
４０１  ドア側長腕片
４０３  ドア側短腕片
４０７  チェーン
４０８  留具
４１０  補助錠側アングル
４１１  補助錠側長腕片
４１３  補助錠側短腕片
４１５  スリット
４３０  ドア側アングル抑板
４５１  高調整片
４５５  補助錠取付座アングル
【図１】
2005315067.tif 000003
【図２】
2005315067.tif 000004
【図３】
2005315067.tif 000005
【図４】
2005315067.tif 000006
【図５】
2005315067.tif 000007
【図６】
2005315067.tif 000008
【図７】
2005315067.tif 000009
【図８】
2005315067.tif 000010
【図９】
2005315067.tif 000011
【図１０】
2005315067.tif 000012
【図１１】
2005315067.tif 000013
【図１２】
2005315067.tif 000014
【図１３】
2005315067.tif 000015
【図１４】
2005315067.tif 000016
【図１５】
2005315067.tif 000017
【図１６】
2005315067.tif 000018
【図１７】
2005315067.tif 000019
【図１８】
2005315067.tif 000020
【図１９】
2005315067.tif 000021
【図２０】
2005315067.tif 000022
【図２１】
2005315067.tif 000023
【図２２】
2005315067.tif 000024
【図２３】
2005315067.tif 000025
【図２４】
2005315067.tif 000026
【図２５】
2005315067.tif 000027